(57)【要約】      （修正有）【課題】鼻の打撲創による骨折、又は陥没を、治療ギブスにより、確実に修整復元することができる、治療ギブスの提供。【解決手段】鼻の打撲創による骨折、又は陥没した患者に、大中小あるサイズの中より、患者の顔面に合った治療ギブス１を選択し、患者の顔面に治療ギブスを顔面に仮装着し治療ギブスに設けられたベルト３で頭部に結束固定、顔面と治療ギブスの隙間に速乾ソフト粘土９で埋め、治療ギブスを取り外し、尚、顔面との密着を速乾ソフト粘土で徴調整速乾ソフト粘土の乾燥を待つ間、患者の治療をする、骨折、又は陥没した鼻６の骨に医療ドリルで鼻に対し９０度に貫通した孔を設け、設けられた孔にぴん４を通しその両先端にフックを設け、そのフックにワイヤー５を取り付け、再び顔面に治療ギブスが戻されベルトで頭部に結束固定する。【選択図】図３
0003141406.tif 000002
【実用新案登録請求の範囲】
【請求項１】
鼻の打撲創骨折、陥没した患者に、Ｓ．Ｍ．Ｌと有る中より患者に合った治療ギブスを選択顔面に仮装着、頭部にベルトで結束固定する。顔面と治療ギブス枠の隙間に速乾ソフト粘土等で埋め、ギブス枠と顔面を密着させ一旦取り外す。速乾ソフト粘土が乾燥する間、鼻の骨折、陥没した骨に医療ドリルで鼻に対し９０度の角度で貫通させた孔にピンを通し、その両先端にフックを設け、設けられたフックにワイヤーを取り付け、取り付けられたワイヤーを、鼻の骨を修整復元しながら吊り上げ、再び戻された治療ギブスを装着固定し、ギブス枠に固設された金具に結束固定する、鼻骨の接着後取り外す。
【考案の詳細な説明】
【技術の分野】
【０００１】  本考案は、鼻の打撲創骨折、又は陥没等を、治療ギブスを以て、修整復元する治療ギブスである。
【背景技術】
【０００２】  鼻の打撲創による骨折、又は陥没などを復元するために、骨折、陥没したる鼻に９０度に医療ドリルで貫通した孔を設け、その孔にピンを通し、ピンの両端に設けられたフックにワイヤーが取り付けられて居て、顔面に装着された治療ギブス枠の金具に鼻を修整復元しながら結束固定し、骨の接着を待ち取りはづす。
上記の様に鼻の骨折、陥没を修整復元する治療ギブスは、見当たらない。
【考案が解決しようとする課題】
【０００３】  本考案は、鼻の打撲創による骨折、陥没等に対し正確に修整復元する、治療ギブスである。
【課題を解決するための手段】
【０００４】  本考案は、かかる課題を解決するために、鼻の打撲創骨折、陥没等を治療するためのギブスで、骨折、陥没した鼻の骨直角に医療ドリルで孔を貫通させ、その孔にピンを通し、ピンの両端に設けられたフックにワイヤーを取り付け、あらかじめ顔面に装着された治療ギブスの枠に、ワイヤーを結束固定、骨の接着後取り外す。
【考案の効果】
【０００５】  上述の様に、鼻の打撲創骨折、陥没の修整治療には、本考案の治療ギブスは、正確に修整復元するため、再治療の懸念がなく完治する。
【考案を実施するための最良の形態】
【０００６】  鼻の打撲創による骨折、又は陥没した患者を修整復元するために、まず、大中小と有る治療ギブスの中より患者の顔面に合うサイズを選択し、患者の顔面に仮試着し治療ギブスに設けられたベルトで、顔面より頭部に結束固定し、顔面と治療ギブス枠の隙間をソフト粘土で埋め修整、一旦取り外し顔面との密着を細部まで修整しソフト粘土の乾燥を待つ間に患者の治療に移る。
患者の鼻骨折、又は陥没した骨に、医療ドリルで鼻に対し９０度に孔を貫通させその孔にピンを通し、ピンの両先端にフックを設け、そのフックにワイヤーを取り付け、治療ギブスを再び装着結束固定する。骨折、陥没を形整復元しながらピンの両先端に取り付けられたワイヤーを吊り上げ、治療ギブス枠に固設された金具に結束、固定。
骨の接着まで２０日より３０日の間、治療ギブスを不動としなくてはならない、又、動き盛りの子供等は、治療ギブス枠を医療接着剤で接着も考慮に入れる。この考案が量産される場合は、プラスチックス等の素材で一体化形成、軽量に生産する。
【実施例】
【０００７】  以下、添付図面に従って実施例を説明する。図１は本体で、鼻の打撲創骨折、又は陥没などを１治療するギブスの正面よりの斜視図，１は本体枠木合板２金具を固設３ベルトで１治療ギブス枠を顔面より頭部に結束、固定保持するために設けてある。【０００８】  図２は、側面斜視図７は治療ギブス装着後、切創、その他、治療のための空間を設けてある。【０００９】  図３は、図１のＡ−Ａ線断面斜視図で、６鼻の骨折所を表し、６鼻の骨折、陥没した骨に医療ドリルで孔を貫通させ４ピンを通し両端にフックを設け、フックに５ワイヤーを取り付け、６鼻の骨折、陥没した６鼻を修整修復しながら吊り上げ２固設された金具に結束固定する。【００１０】  図４は、図１のＢ−Ｂ線断面斜視図で、１治療ギブス枠と９ソフト粘土で顔面密着した図と６鼻の骨折、陥没を４ピンの両端のフックに取り付けられた５ワイヤーを固設された２金具に結束、固定保持する。【００１１】  快癒後、まず、５ワイヤーをカット２金具より取り外す１治療ギブスを撤去する４ピンのフック有る片方をカット、６鼻よりピンを引き抜きその跡を医療粘着テープ等で養生する。
【図面の簡単な説明】
【００１２】
【図１】  本考案の治療ギブス正面斜視図である。
【図２】  本体の側面斜視図である。
【図３】  本体のＡ−Ａ線断面斜視図である
【図４】  本体のＢ−Ｂ線断面斜視図である。
【符号の説明】
【００１３】      １  治療ギブス枠本体
２  金具
３  顔面より頭部に結束固定保持するベルト
４  ピン
５  ワイヤー
６  鼻
７  治療のための空間
８  打撲による鼻の骨折切創を示す
９  本体枠と顔面の隙間を埋めたソフト粘土
Ａ−Ａ  線断面斜視図
Ｂ−Ｂ  線断面斜視図
【図１】
0003141406.tif 000003
【図２】
0003141406.tif 000004
【図３】
0003141406.tif 000005
【図４】
0003141406.tif 000006
【手続補正書】
【提出日】平成19年7月26日(2007.7.26)
【手続補正１】
【補正対象書類名】実用新案登録請求の範囲
【補正対象項目名】全文
【補正方法】変更
【補正の内容】
【実用新案登録請求の範囲】
【請求項１】
鼻の打撲創骨折、陥没した患者に、Ｓ．Ｍ．Ｌとある中より患者の顔面に合った（１）治療ギブスを選択、顔面に仮装着、頭部に（３）ベルトで結束固定する。
顔面と（１）治療ギブスの隙間に（９）速乾ソフト粘度等で埋め（１）ギブス枠と顔面を密着させ一旦取り外す。（９）速乾ソフト粘度が乾燥する間、（８）鼻の骨折、陥没した骨に治療ドリルで（６）鼻に対し９０度の角度で貫通させた孔に（４）ピンを通しその両端にフックを設け、設けられたフックに（５）ワイヤーを取り付け、取り付けられた（５）ワイヤーを（６）鼻の骨を修整修復しながら吊り上げ、再び戻された（１）治療ギブスを装着固定し、（１）ギブス枠に固設された（２）金具に結束固定する鼻の骨折、陥没治療ギブス。
【手続補正書】
【提出日】平成19年11月2日(2007.11.2)
【手続補正１】
【補正対象書類名】実用新案登録請求の範囲
【補正対象項目名】全文
【補正方法】変更
【補正の内容】
【実用新案登録請求の範囲】
【請求項１】
ギブス本体に、頭部を結束するベルトを固設、さらに金具を縦横、アーチ型に渡設される。  鼻の骨折、陥没を治療されたワイヤーを、ギブスに渡設された金具に固定するための鼻の骨折、陥没治療ギブス。
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
本体は軽量プラスティックスで馬蹄型を形成し、金具を縦、横に渡設し、頭部に固定するため本体に、ベルトを固設した、鼻の骨折、陥没治療ギブス。